(57)【特許請求の範囲】
【請求項１】
基礎（２）の上部に固着されるベース部材（４）と、当該ベース部材（４）の両側部に固定された弾性材料よりなる側部材（５）と、前記ベース部材（４）に固定された側部材（５）の上部を覆って嵌合される弾性材料よりなるカバー部材（６）とよりなり、前記側部材（５）の側面に内側に陥凹した陥凹部（８）が形成され、当該陥凹部（８）の下縁からさらに下方に陥凹した溝（１０）が形成されており、前記カバー部材（６）は前記ベース部材（４）に固定された側部材（５）の上部を覆う上面部（１１）の両側縁から、側部材（５）の両側上部を覆う垂直部（１２）が垂設された断面略コ字状をなし、前記垂直部（１２）の下端内側に前記側部材（５）の溝（１０）に嵌合する係合部（１３）が形成されており、当該係合部（１３）を前記溝（１０）に嵌合した状態において、前記陥凹部（８）の上縁と係合部（１３）との間の空所にストリップ状の抑止部材（１５）が挿入されていることを特徴とする、砂場用枠材
【請求項２】
請求項１の砂場用枠材（１）において、前記カバー部材（６）の端末に近い側面部に、下縁に開いたスリット（１４）を形成したことを特徴とする、砂場用枠材
【発明の詳細な説明】
【０００１】
【発明の属する技術分野】
本発明は、遊園地などに設置された砂場における、砂場の周囲を区画する枠材に関するものである。
【０００２】
【従来の技術】
従来から遊園地や児童公園などには砂場が設置されており、小児の遊戯に供せられている。そしてその砂場は、その周囲を木やコンクリートなどの枠で区画して、砂の散逸を防いでいる。
【０００３】
【発明が解決しようとする課題】
しかしながらこれらの砂場の枠は、コンクリートなどで形成されたものにあっては、遊戯中の小児が転倒して頭を打ったり怪我をしたりする恐れがあり、また木などよりなるものではコンクリートよりは幾分かは柔らかいもののかなり固いものであり、また時間の経過と共に腐食したり割れたりする恐れもあり、耐久性に乏しい。
【０００４】
また枠をゴムなどの柔軟な材料で構成することにより、怪我を防止しかつ腐食などが生じないものとすることもできるが、この枠の材料を基礎に固定するためのボルトなどが表面に露出するため、かえって危険なものとなる。
【０００５】
本発明はかかる事情に鑑みなされたものであって、ゴムなどの弾性材料よりなる部材を組み合わせて枠材を構成し、簡単に組立てることができると共に、ボルトなどの金具が表面に露出することがなく、かつ外力や小児の悪戯などで組み合わせが分離するようなことのない、優れた砂場用枠材を提供することを目的とするものである。
【０００６】
【課題を解決するための手段】
而して本発明は、基礎の上部に固着されるベース部材と、当該ベース部材の両側部に固定された弾性材料よりなる側部材と、前記ベース部材に固定された側部材の上部を覆って嵌合される弾性材料よりなるカバー部材とよりなり、前記側部材の側面に内側に陥凹した陥凹部が形成され、当該陥凹部の下縁からさらに下方に陥凹した溝が形成されており、前記カバー部材は前記ベース部材に固定された側部材の上部を覆う上面部の両側縁から、側部材の両側上部を覆う垂直部が垂設された断面略コ字状をなし、前記垂直部の下端内側に前記側部材の溝に嵌合する係合部が形成されており、当該係合部を前記溝に嵌合した状態において、前記陥凹部の上縁と係合部との間の空所にストリップ状の抑止部材が挿入されていることを特徴とするものである。
【０００７】
また本発明においては、前記カバー部材の端末に近い側面部に、下縁に開いたスリットを形成することが好ましい。
【０００８】
【発明の実施の形態】
以下本発明の実施の一形態を図面に従って説明する。図１は本発明の枠材１で構成した砂場を示すものであって、地面に略長方形状に設置された基礎２の上部に本発明の枠材１を並べて取り付けられており、その基礎２及び枠材１で囲まれた内側に砂３を収容している。枠材１は、砂場の縁の直線部を形成する枠材１ａと、角部を形成する枠材１ｂとよりなり、これらを組み合わせて長方形状の枠を形成している。
【０００９】
図２は本発明の枠材１の断面図を示すものであって、この枠材１は、基礎２の上部に固着される金属製のベース部材４と、当該ベース部材４の両側部に固定されたゴムなどの弾性材料よりなる側部材５と、そのベース部材４及び側部材５の上部を覆って嵌合されるカバー部材６とよりなっている。
【００１０】
ベース部材４は、金属板を略コ字状に曲げ加工してなる部材４ａ，４ｂを接合して略Ｈ字状となし、その端縁を外側に折り曲げた形状をなしており、その中央部において基礎２に埋め込まれた埋め込みボルト７などの手段で、基礎２に対して強固に固着されている。
【００１１】
側部材５はゴムなどの弾性材料よりなり、ベース部材４の両側部においてベース部材４の端縁部に係合固定されている。そしてその側部材５の外側面には、内側に陥凹した陥凹部８が形成されており、かつ下方から陥凹部８の外側に張出部９が立設され、陥凹部８との間に溝１０が形成されている。
【００１２】
前記カバー部材６は、これもゴムなどの弾性材料よりなっており、前記側部材５の上部を覆う上面部１１から、側部材５の両側上部を覆う垂直部１２を垂設した断面略コ字状をなしている。そしてその垂直部１２の下端には内側に張り出して係合部１３が形成され、当該係合部１３は垂直部１２の下端からさらに下方に垂設されている。
【００１３】
そして一部の枠材１においては、カバー部材６の端部に近い垂直部１２に、図３に示すように垂直部１２の下端に開いたスリット１４が形成されている。このスリット１４はカバー部材６の両側の垂直部１２に設けるのが良く、また一端部のみに形成されていれば良い。そしてこのスリット１４は、砂場の長方形状の枠の各辺を形成する複数のカバー部材６のうちに、一つのスリット１４が形成されていれば足りる。
【００１４】
また図２において１５は、ゴムなどの弾性材料よりなるストリップ状の抑止部材であって、カバー部材６を側部材５に係合した状態における、陥凹部８と垂直部１２との間の、陥凹部８の上縁と係合部１３との間に形成される空所内に挿通されている。
【００１５】
本発明の枠材１は、図１における枠の直線部を形成する枠材１ａは、図２における断面形状が長さ方向に所定の長さに亙って連続した形状の物として構成されており、また枠の角部を形成する枠材１ｂは、図２における断面形状が長さ方向に連続した物を斜め４５度に接ぎ合わせて接続し、直角に屈曲した形状のものとして構成されている。
【００１６】
【作用】
本発明の枠材１を使用して砂場の枠を形成するには、先ず木又はコンクリートなど適宜の材料で長方形の基礎２を形成する。基礎２の断面形状は図２に示すように中央に凸部２ａを形成した略凸字状とするのが良いが、これに限定されるものではなく、ベース部材４の中央部の形状に応じて、適宜の手段でベース部材４を強固に固着することができる形状であれば良い。
【００１７】
そしてこの基礎２の上に側部材５を結合したベース部材４を並べ、直線状の枠材１ａ及び角部の枠材１ｂを適宜組み合わせて略長方形状に配置して、埋め込みボルト７などの適宜の手段でベース部材４を基礎２に固着する。枠材１の長さが枠の形状に適合しないときは、枠材１を適宜裁断して枠の大きさに適合させることができる。
【００１８】
然る後、ベース部材４に結合された側部材５にカバー部材６を嵌合する。このとき、カバー部材６を弾性変形させて垂直部１２を側方に開き、これを側部材５の上部から被せた後、垂直部１２を閉じて係合部１３を側部材５の陥凹部８に嵌合させる。そしてカバー部材６を下方に摺動させることにより、係合部１３を陥凹部８から溝１０に押し込む。
【００１９】
このとき、カバー部材６の垂直部１２における前記スリット１４で分離された小部分１２ａは、溝１０に嵌合させることなく外方に開いて、側部材５における張出部９の外側に位置せしめておく。
【００２０】
このようにして全てのカバー部材６を嵌合したならば、図３に示すように前記小部分１２ａを開いて、その開口部から陥凹部８の上縁と係合部１３との間の空所に抑止部材１５を挿入する。抑止部材１５は単一の枠材１に挿入するのではなく、小部分１２ａの位置からその辺の端末までの全ての枠材１を貫通して挿入する。また小部分１２ａの位置から左右両側に向かって挿入し、その辺の全ての枠材１に対して抑止部材１５を挿入する。
【００２１】
前記空所に抑止部材１５を挿入し終ったならば、小部分１２ａを弾性変形させて係合部１３を張出部９の内側に押し込むことにより、開口部が閉じて小部分１２ａも垂直部１２の他の部分と同じ状態となる。
【００２２】
なお前記スリット１４は、あらかじめ枠材１に形成した状態で供給することもできるが、スリット１４のない枠材１のみを供給し、施工時に必要に応じてナイフなどでスリット１４を形成することもできる。
【００２３】
また本発明においては、請求項２のように垂直部１２にスリット１４を設け、小部分１２ａを利用して抑止部材１５を挿入するのが好ましいが、この構成は必ずしも不可欠ではなく、例えば角部の枠材１ｂに空所の延長線上に透孔を穿設しておき、当該透孔から空所内に抑止部材１５を挿入した後、パテなど適宜の手段で透孔を閉そくすることもできる。
【００２４】
而して本発明の構造においては、ベース部材４は基礎２に対して埋め込みボルト７などにより強固に固着することができ、その外側が側部材５及びカバー部材６で覆われるのでベース部材４や埋め込みボルト７などの固い部分が外部に露出することがない。
【００２５】
そして側部材５はベース部材４の両側部の構造を利用してベース部材４に対して確実に保持することができると共に、その側部材５の上部及び上側部をカバー部材６で覆われる。そしてカバー部材６は、係合部１３が張出部９の内側の溝１０に嵌合することにより垂直部１２が開くことがなく、また抑止部材１５により上方への偏椅が阻止されるので、側部材５に結合した状態に確実に保持され、脱落することがない。
【００２６】
【発明の効果】
従って本発明によれば、基礎２に対してベース部材４で強固に固着することができると共に、その外側が弾性材料よりなる側部材５及びカバー部材６で覆われており、かつ固いベース部材４もこれを基礎２に固着する手段も内部に隠蔽されているので、小児が頭を打っても怪我をする恐れがなく、児童公園などにおける砂場の枠として極めて安全である。
【００２７】
またカバー部材６の係合部１３を側部材５の溝１０に嵌合することにより両者を結合し、その嵌合のために側部材５を下動させて生じた空所に抑止部材１５を挿入することにより結合状態を保持するので、枠の組み立て作業が容易であると共に、組み立てた後に外力が加わったり小児の悪戯などにより、不用意に結合が外れることがない。
【００２８】
さらに請求項２の発明によれば、スリット１４により切り離された小部分１２ａを開くことにより、枠材１の内部に容易に抑止部材１５を挿入することができると共に、小部分１２ａを弾性変形を利用して溝１０に挿入することにより抑止部材１５を完全に隠蔽することができ、不用意に抑止部材１５が脱落してカバー部材６が分離するようなことがない。
【図面の簡単な説明】
【図１】  本発明の枠材を使用した砂場の斜視図
【図２】  本発明の枠材の横断面図
【図３】  請求項２の発明において空所内に抑止部材を挿入する状態を示す枠材の斜視図
【符号の説明】
１  枠材
２  基礎
４  ベース部材
５  側部材
６  カバー部材
８  陥凹部
１０  溝
１１  上面部
１２  垂直部
１３  係合部
１４  スリット
１５  抑止部材
【図１】
0003743897.tif 000002
【図２】
0003743897.tif 000003
【図３】
0003743897.tif 000004